(57)【要約】【課題】商品に興味を抱いた顧客の人数を正確に把握する。【解決手段】操作部１０４での所定の操作（押下操作）に応じて、記憶装置１０８の不揮発性メモリに記憶されている操作回数をインクリメントし、操作部１０４での所定の操作（押下操作）に応じて、記憶装置１０８の不揮発性メモリに記憶されている価格のデータを読み出してこの読み出した価格のデータに基づく価格表示を表示部１０３に一定時間表示させるようにした。【選択図】図８
2010005444.tif 000002
【特許請求の範囲】
【請求項１】
情報表示機能を有する表示部と、
ユーザが操作する操作部と、
商品の価格と前記操作部の操作回数とを含むデータを書き換え自在に記憶する不揮発性メモリを有する記憶装置のコネクタが接続して当該記憶装置との間でデータ送受信可能にするポートと、
前記操作部での所定の操作に応じて、前記ポートに前記コネクタが接続している前記記憶装置の前記不揮発性メモリに記憶されている操作回数をインクリメントする手段と、
前記操作部での前記所定の操作に応じて、前記ポートに前記コネクタが接続している前記記憶装置の前記不揮発性メモリに記憶されている価格のデータを読み出して当該読み出した価格のデータに基づく価格表示を前記表示部に一定時間表示させる手段と、
を備える電子値札。
【請求項２】
前記不揮発性メモリが記憶するデータは、商品を特定する商品コードを含む、
請求項１記載の電子値札。
【請求項３】
前記不揮発性メモリが記憶するデータは、商品名を含み、
前記操作部での前記所定の操作に応じて、前記ポートに前記コネクタが接続している前記記憶装置の前記不揮発性メモリに記憶されている商品名のデータを読み出して当該読み出した商品名のデータに基づく商品名表示を前記価格表示と共に前記表示部に一定時間表示させるようにした、
請求項１又は２記載の電子値札。
【発明の詳細な説明】
【技術分野】
【０００１】
本発明は、店舗で販売される商品又はこの商品が載置される陳列棚に付される電子値札に関する。
【背景技術】
【０００２】
従来、電子的なデータに基づいて表示部に商品価格等の情報を表示するようにした電子値札が店舗で使用されている。電子値札は、表示内容を自在に変更することができる。例えば、特許文献１には、商品の陳列棚に着脱自在な電子値札（電子棚札）の表示内容を、その位置変更に応じて変更するようにした技術が記載されている。また、特許文献２及び特許文献３には、所定の手段により顧客を識別し、識別された顧客に応じて表示内容を変更するようにした技術が記載されている。
【先行技術文献】
【特許文献】
【０００３】
【特許文献１】特開２００１−１６１５２２公報
【特許文献２】特開２００７−１２２２８８公報
【特許文献３】特開２００７−１１４９５７公報
【発明の概要】
【発明が解決しようとする課題】
【０００４】
ところで、商品の販売数等の情報は、ＰＯＳ（Ｐｏｉｎｔ  Ｏｆ  Ｓａｌｅｓ：販売時点管理）システムを店舗に導入することで容易に把握することができる。しかし、顧客が手に取る等して購入を検討したものの実際に購入には至らなかった商品（以下、「迷い筋商品」と称する）についての情報は、ＰＯＳシステムを導入しても把握することは困難である。
【０００５】
迷い筋商品についての情報は店舗にとって非常に貴重なものである。なぜなら、迷い筋商品は現状での販売は見込まれないものの、顧客が興味を抱いていることは確かなので、わずかに値下げを行ったり特典を付与したりすることで販売につながる可能性が高いからである。
【０００６】
そこで、特許文献３には、電子値札（特許文献３中では、電子棚札装置）で管理される商品に対してその顧客が手を伸ばした行為の回数が計数されるようにした技術が記載されている（特許文献３の段落００３９参照）。これによれば、商品に関心を持った顧客の人数を把握することできるので、ＰＯＳシステムで管理される実際の販売数との比較によって迷い筋商品の存在を認識することができる。しかしながら、特許文献２に記載された技術によって計数される回数は、所定の手段によって識別された顧客の行為のみであるため、商品に興味を持った顧客の人数を正確に把握することはできない。
【０００７】
本発明の目的は、迷い筋商品の情報を取得するために商品に興味を抱いた顧客の人数を正確に把握することである。
【課題を解決するための手段】
【０００８】
本発明の電子値札は、情報表示機能を有する表示部と、ユーザが操作する操作部と、商品の価格と前記操作部の操作回数とを含むデータを書き換え自在に記憶する不揮発性メモリを有する記憶装置のコネクタが接続して当該記憶装置との間でデータ送受信可能にするポートと、を備え、前記操作部での所定の操作に応じて、前記ポートに前記コネクタが接続している前記記憶装置の前記不揮発性メモリに記憶されている操作回数をインクリメントし、前記操作部での前記所定の操作に応じて、前記ポートに前記コネクタが接続している前記記憶装置の前記不揮発性メモリに記憶されている価格のデータを読み出して当該読み出した価格のデータに基づく価格表示を前記表示部に一定時間表示させるようにした。
【発明の効果】
【０００９】
本発明によれば、商品購入に際しての顧客の最大の関心事項である価格が操作部での所定の操作によって初めて表示部に表示されると共に、この操作回数が記憶装置の不揮発性メモリに記憶される。そのため、記憶装置の不揮発性メモリに記憶された操作回数を参照することで、商品に興味を抱いた殆ど全ての顧客の人数を把握することができる。
【図面の簡単な説明】
【００１０】
【図１】衣類に付された状態の電子値札を示す正面図である。
【図２】陳列棚に付された状態の電子値札を示す斜視図である。
【図３】電子値札を示す斜視図である。
【図４】ＵＳＢメモリが差込口に差し込まれた状態の電子値札を示す斜視図である。
【図５】電子値札のハードウェア構成を示すブロック図である。
【図６】ＵＳＢメモリのデータ構成を示す模式図である。
【図７】電子値札で実行される処理の流れを示すフローチャートである。
【図８】ＬＣＤに価格が表示された状態の電子値札を示す斜視図である。
【図９】電子値札から取り外されたＵＳＢメモリがＰＣに接続される状態を示す斜視図である。
【図１０】ＰＣのＬＣＤの画面表示例を示す模式図である。
【図１１】ＵＳＢメモリのフラッシュメモリチップに記憶されているデータ内容と商品データファイルに記憶されているデータ内容との比較状態を示す模式図である。
【図１２】別の実施形態における、ＬＣＤに価格が表示された状態の電子値札を示す斜視図である。
【発明を実施するための形態】
【００１１】
本発明の実施の形態について図１ないし図１１に基づいて説明する。本実施の形態は、商品として衣類１１を販売する店舗で使用される電子値札１０１への適用例である。
【００１２】
図１は、衣類１１に付された状態の電子値札１０１を示す正面図である。衣類１１は、店舗で販売されている品物である。図１中に示す衣類１１は、ハンガー２３に架けられて複数陳列されている。このように陳列された複数の衣類１１には、それぞれ電子値札１０１が付されている。電子値札１０１は、ストラップ１０６（図３参照）によって衣類１１の一部に取り付けられている。そして、後述するように、電子値札１０１は、付されている衣類１１の価格を表示するものである。
【００１３】
図２は、陳列棚２１に付された状態の電子値札１０１を示す斜視図である。図２中に示す衣類１１は、折り畳まれた状態で陳列棚２１に載置されている。陳列棚２１の前方には、商品説明のための棚札２２が配置されている。棚札２２の右側には、電子値札１０１が固定的に取り付けられている。図２に示す状態で使用される電子値札１０１は、陳列棚２１の各段に載置されている複数の衣類１１についての価格を表示するものである。
【００１４】
図３は、電子値札１０１を示す斜視図である。電子値札１０１は、直方体状のハウジング１０２を有する。ハウジング１０２は、一例として樹脂製である。ハウジング１０２の一面の中央位置には、表示部としてのＬＣＤ（Ｌｉｑｕｉｄ  Ｃｒｙｓｔａｌ  Ｄｉｓｐｌａｙ）１０３が配置されている。ハウジング１０２のＬＣＤ１０３とは反対側には、電子値札１０１に給電するバッテリである乾電池を収容可能なバッテリ収容部（図示せず）が設けられている。なお、バッテリは、例えば太陽電池であっても良い。この場合、ハウジング１０２には、ソーラーパネルが設けられる。また、バッテリは、ハウジング１０２に内蔵される充電可能な蓄電池であっても良い。この場合、電子値札１０１は、充電器であるクレードルに設置可能であり、このクレードルへの設置により電子値札１０１が内蔵する蓄電池は充電される。
【００１５】
ＬＣＤ１０３の左上位置には、電子値札１０１を衣類１１に取り付けるためのストラップ１０６が通されるストラップ孔１０５がハウジング１０２を貫通させて形成されている。したがって、図３に示す電子値札１０１は、図１に示すように衣類１１に付されて使用される電子値札１０１である。
【００１６】
ＬＣＤ１０３の右上位置には、表示ボタン１０４が配置されている。表示ボタン１０４は、ハウジング１０２の表面から突出しており、指による押下操作可能に設けられている。
【００１７】
ハウジング１０２の左側面には、可搬性を有する記憶装置としてのＵＳＢメモリ１０８が差し込まれる差込口１０７が形成されている。
【００１８】
図４は、ＵＳＢメモリ１０８が差込口１０７に差し込まれた状態の電子値札１０１を示す斜視図である。通常、電子値札１０１は、図４に示すようにＵＳＢメモリ１０８が差し込まれた状態で使用される。つまり、電子値札１０１は、ＵＳＢメモリ１０８が差し込まれた状態で、図１に示すように衣類１１等に取り付けられたり、図２に示すように陳列棚２１に取り付けられたりする。ＵＳＢメモリ１０８が差込口１０７に差し込まれると、図４に示すように、ＵＳＢメモリ１０８は、端部を残して本体部分の殆どがハウジング１０２内に収容される。このようにして、ＵＳＢメモリ１０８は、電子値札１０１に接続される。つまり、差込口１０７の奥には、ＵＳＢメモリ１０８のＵＳＢコネクタ１０９（図３参照）が接続されるＵＳＢポート１５６（図５参照）が設けられている。
【００１９】
図５は、電子値札１０１のハードウェア構成を示すブロック図である。電子値札１０１は、マイクロコンピュータ１５４を内蔵し、このマイクロコンピュータ１５４が、ＬＣＤ１０３及び表示ボタン１０４を、バスライン１５５と各種制御回路（図示せず）とを介して駆動制御する。このようなマイクロコンピュータ１５４は、ＣＰＵ１５１に、バスライン１５５を介して、コンピュータプログラム等の固定的データを記憶するＲＯＭ１５２と、各種データを書き換え自在に記憶するＲＡＭ１５３とを接続することにより構成されている。マイクロコンピュータ１５４には、バスライン１５５を介してＵＳＢポート１５６が接続されている。ＵＳＢポート１５６には、ＵＳＢメモリ１０８のＵＳＢコネクタ１０９が接続される。ＵＳＢポート１５６は、ＵＳＢコネクタ１０９が接続しているＵＳＢメモリ１０８との間でデータ送受信を可能にする。ＵＳＢメモリ１０８は、プラスチック筐体の内部に、ＵＳＢコントローラ１１０と不揮発性メモリであるフラッシュメモリチップ１１１とを有する。ＵＳＢコントローラ１１０は、フラッシュメモリチップ１１１へのデータの書き込み等を制御する。マイクロコンピュータ１５４は、ＵＳＢメモリ１０８にアクセスして、フラッシュメモリチップ１１１に対するデータの書き込み及び読み取りを実行する。このような電子値札１０１は、バッテリ収容部に収容されたバッテリである乾電池から給電されて駆動する。
【００２０】
図６は、ＵＳＢメモリ１０８のデータ構成を示す模式図である。ＵＳＢメモリ１０８のフラッシュメモリチップ１１１には、各種の区分された記憶領域が形成されている。フラッシュメモリチップ１１１の各記憶領域には、「商品コード」、「商品名」、「価格」、及び、「押下回数」のデータが記憶されている。「商品コード」は、商品を特定するコードである。「商品名」は、「商品コード」によって特定される商品の名称であり、「価格」はその販売価格である。「押下回数」は、操作部としての表示ボタン１０４の操作回数、つまり、表示ボタン１０４が押下操作された回数である。なお、フラッシュメモリチップ１１１に、他のデータが記憶されていても良いことは、言うまでもない。
【００２１】
次に、電子値札１０１のマイクロコンピュータ１５４、がＲＯＭ１５２に記憶されているコンピュータプログラムに従い実行する処理の流れを図７に基づいて説明する。
【００２２】
図７は、電子値札１０１で実行される処理の流れを示すフローチャートである。電子値札１０１のマイクロコンピュータ１５４は、表示ボタン１０４の押下判定に待機している（ステップＳ１０１）。このとき、ＬＣＤ１０３には何ら情報表示は提供されていない。
【００２３】
表示ボタン１０４の押下により所定の信号がマイクロコンピュータ１５４に入力される。これにより、マイクロコンピュータ１５４は、表示ボタン１０４の押下を判定する。そして、表示ボタン１０４の押下判定に応じて（ステップＳ１０１のＹ）、マイクロコンピュータ１５４は、ＵＳＢポート１５６に接続されているＵＳＢメモリ１０８にアクセスして、フラッシュメモリチップ１１１に記憶されている「押下回数」をインクリメントする（ステップＳ１０２）。例えば、記憶されている「押下回数」が「１３」である場合には、表示ボタン１０４の押下によって「押下回数」は「１４」になる。
【００２４】
次に、マイクロコンピュータ１５４はフラッシュメモリチップ１１１に記憶されている「価格」のデータを読み出して、このデータに基づく情報表示をＬＣＤ１０３に提供する。これにより、ＬＣＤ１０３には、フラッシュメモリチップ１１１に記憶されている「価格」が表示される（ステップＳ１０３）。このとき初めてＬＣＤ１０３に価格表示がなされる。例えば、記憶されている「価格」が「￥７，８００」である場合には、ＬＣＤ１０３にも「￥７，８００」が表示される。
【００２５】
そして、電子値札１０１のマイクロコンピュータ１５４は、一定時間の経過判定に待機する（ステップＳ１０４）。価格表示の後（ステップＳ１０３）、一定時間が経過したならば（ステップＳ１０４のＹ）、マイクロコンピュータ１５４は、ＬＣＤ１０３に提供していた情報表示を消去する。これにより、ＬＣＤ１０３に表示されていた単価が消去される（ステップＳ１０５）。
【００２６】
図８は、ＬＣＤ１０３に価格が表示された状態の電子値札１０１を示す斜視図である。図８中、顧客の指５１によって表示ボタン１０４が押下されている。これにより、図７に基づいて説明したようにＵＳＢメモリ１０８から価格のデータが読み出されて、読み出されたデータに基づく価格がＬＣＤ１０３に表示されている。つまり、当初、ＬＣＤ１０３には商品の価格が表示されていないところ（図４参照）、表示ボタン１０４の押下によって初めてＬＣＤ１０３に商品の価格が表示される。そのため、商品の購入を考えたほとんど全ての顧客は、商品購入に際しての最大の関心事項である商品の価格を知ろうとしてその商品に付されている電子値札１０１の表示ボタン１０４を押下することになる。そして、表示ボタン１０４の押下によってＬＣＤ１０３に表示された価格を見ることにより、顧客は、この電子値札１０１が取り付けられている衣類１１の価格を知ることができる。
【００２７】
なお、衣類１１に価格表示が無いことにより顧客が戸惑ってしまうことを回避するために、価格表示のための表示ボタン１０４の押下操作をガイダンスする内容が記載されたラベル等をハウジング１０２に貼付してもよい。
【００２８】
ＬＣＤ１０３に表示されている価格は、一定時間経過後に消滅する。この一定時間は、ＬＣＤ１０３に表示されている価格を一人の顧客が誤りなく確認するために必要十分な時間（例えば、３分間）である。そのため、電子値札１０１の表示ボタン１０４の押下操作は、この電子値札１０１が付されている衣類１１の価格を知りたい顧客毎、つまり、この衣類１１の購入を考えた顧客毎に行われることになる。
【００２９】
また、図７に基づいて説明したように、表示ボタン１０４の押下操作毎にこの表示ボタン１０４の「押下回数」がインクリメントされる。この押下回数を参照することで、店舗における衣類１１の特殊な状況を把握することができる。つまり、ある衣類１１について、その電子値札１０１のＵＳＢメモリ１０８に記憶されている「押下回数」が平均的な値よりも多い値である場合、その衣類１１は、顧客に興味を持たれたものの実際の購入には至らなかった商品（迷い筋商品）である可能性が高い、と判断することができる。なお、「押下回数」の平均的な値とは、店舗、売場、販売期間、商品等の要素に基づいて経験的に算出される値である。
【００３０】
そして、ＵＳＢメモリ１０８のフラッシュメモリチップ１１１に記憶されている「押下回数」を店舗が確認するためには、電子値札１０１から取り外したＵＳＢメモリ１０８をＰＣ２０１（図９参照）に接続することになる。
【００３１】
図９は、電子値札１０１から取り外されたＵＳＢメモリ１０８がＰＣ２０１に接続される状態を示す斜視図である。図９に示すＰＣ２０１は、開閉自在の筐体を有するいわゆるノートパソコンであり、情報を表示するＬＣＤ２０２と、情報を入力するためのキーボード２０３と、ＬＣＤ２０２の画面上に表示されるマウスポインタを移動させるためのトラックパッド２０５とを有する。ＰＣ２０１の右側には、ＵＳＢメモリ１０８のＵＳＢコネクタ１０９が接続可能なＵＳＢポート２０４が設けられている。ここで、ＰＣ２０１は、ＵＳＢマス・ストレージクラスに対応した機器、又は、このクラスに対応したＯＳ（オペレーティングシステム）を搭載した機器である。したがって、ＰＣ２０１は、ドライバをインストールする必要がなく標準機能のみで、ＵＳＢポート２０４に接続されたＵＳＢメモリ１０８を記憶装置として認識することができる。なお、ＰＣ２０１のその他の構成は、一般的なノートパソコンの構成と変わるところがないため、その説明については省略する。
【００３２】
ＰＣ２０１のマイクロコンピュータ（図示せず）は、接続されたＵＳＢメモリ１０８にアクセスして、フラッシュメモリチップ１１１に記憶されているデータを読み出し、読み出したデータに基づく画面表示をＬＣＤ２０２に提供する。
【００３３】
図１０は、ＰＣ２０１のＬＣＤ２０２の画面表示例を示す模式図である。ＰＣ２０１のマイクロコンピュータ（図示せず）は、フラッシュメモリチップ１１１に記憶されているデータを読み出して図１０（ａ）に示すように商品情報画面２１１をＬＣＤ２０２（図１０中図示せず）に画面表示として提供する。商品情報画面２１１は、ＵＳＢメモリ１０８のフラッシュメモリチップ１１１に記憶されているデータ内容と同様の内容を表示する。つまり、商品情報画面２１１は、情報表示として、「商品コード」、「商品名」、「価格」、「押下回数」を含んでいる。
【００３４】
さらに、図１０（ａ）に示すように商品情報画面２１１は、画面下段部分に、「価格変更」と表示された価格変更ボタン２１２と、「押下回数クリア」と表示された押下回数クリアボタン２１３とを有する。商品情報画面２１１が表示する「押下回数」が平均的な値よりも多いことにより、この商品が迷い筋商品であり適度な値下げを行うことで販売が見込まれると判断した場合には、トラックパッド２０５の操作によりマウスポインタを価格変更ボタン２１２上に移動させてクリックする。価格変更ボタン２１２がクリックされるとＬＣＤ２０２には図１０（ｂ）に示すように価格変更画面２２１が表示される。これにより、ＵＳＢメモリ１０８のフラッシュメモリチップ１１１に記憶されている「価格」の変更が可能となる。価格の変更はキーボード２０３からの入力により行う。価格変更画面２２１が有するクリアボタン２２３のクリックにより、入力された価格のクリアが行われ、ＯＫボタン２２２のクリックにより、入力された新たな価格が上書きされてＬＣＤ２０２の画面表示は商品情報画面２１１に復帰する。
【００３５】
また、「価格」の変更に応じて「押下回数」のクリアも必要となる。そこで、復帰した商品情報画面２１１でさらに押下回数クリアボタン２１３をクリックすることにより、ＬＣＤ２０２には、図１０（ｃ）に示すように押下回数クリア画面２３１が表示される。押下回数クリア画面２３１は、「押下回数をクリアしますか？」という文字列を含み、ＰＣ２０１の操作者に対して、「押下回数」のクリアを本当に実行するか否かを問う。ここで、押下回数クリア画面２３１が有する「いいえ」と表示されたクリア拒否ボタン２３３がクリックされたならばフラッシュメモリチップ１１１に記憶されている「押下回数」のクリア実行は行われず、「はい」と表示されたクリア実行ボタン２３２がクリックされたならばフラッシュメモリチップ１１１に記憶されている「押下回数」のクリアが実行される。
【００３６】
図１０（ｄ）は、「価格」を変更し、さらに、「押下回数」をクリアした後の状態の商品情報画面２１１を示す。ＰＣ２０１の操作者は、このような価格変更画面２２１を見ることによって、ＵＳＢメモリ１０８のフラッシュメモリチップ１１１のデータ内容が変更されたことを容易に確認することができる。なお、図１０中では、「価格」が７８００円から６８００円に変更され、「押下回数」が１３（回）からクリアされて０（回）になっている。
【００３７】
ところで、ＵＳＢメモリ１０８のフラッシュメモリチップ１１１に記憶された「押下回数」は、経験的に算出される平均的な値との比較の他、ＰＯＳシステム（図示せず）で管理される実際の販売数と比較することもできる。実際の販売数は、店舗のバックヤード等に設置されたストアコントローラ３１１（図１１参照）が有するＨＤＤ３１２（図１１参照）に格納された商品データファイル３０１（図１１参照）に記憶されて管理されている。なお、商品データファイル３０１は、店舗の統括部等に設置されたホストコンピュータ等に設けられていても良い。
【００３８】
図１１は、ＵＳＢメモリ１０８のフラッシュメモリチップ１１１に記憶されているデータ内容と商品データファイル３０１に記憶されているデータ内容との比較状態を示す模式図である。ＰＣ２０１は、ＬＡＮ等によってストアコントローラ３１１とデータ通信可能に接続されている。そして、ＰＣ２０１での所定の操作によって、ストアコントローラ３１１のＨＤＤ３１２から商品データファイル３０１のデータを呼び出すことができる。呼び出したデータ内容は、ＰＣ２０１のＬＣＤ２０２に表示される。このとき、ＵＳＢメモリ１０８のデータ内容もＬＣＤ２０２に表示される。そして、前者のデータは、実際の販売数を記憶するものであり、後者のデータは、「押下回数」を記憶するものである。そして、同一の商品コード、つまり、同一の商品について実際の販売数と押下回数とを比較することにより、販売数よりも押下回数が著しく多いような場合には、その商品を迷い筋商品であると判断することができる。
【００３９】
なお、本実施の形態では、表示ボタン１０４の押下により単価のみがＬＣＤ１０３に表示される電子値札１０１について説明したが、表示ボタン１０４の押下によりＬＣＤ１０３に表示される情報は、単価に限られることはない。ＬＣＤ１０３に単価以外の情報が表示される実施形態について図１２に基づいて説明する。
【００４０】
図１２は、別の実施形態における、ＬＣＤ１０３に価格が表示された状態の電子値札１０１を示す斜視図である。本実施の形態では、ＬＣＤ１０３に価格表示の他、商品名表示も提供されている。つまり、本実施の形態では、図７のフローチャートのステップＳ１０３では、マイクロコンピュータ１５４は、ＵＳＢメモリ１０８のフラッシュメモリチップ１１１から単価の他に商品名をも読み出して、単価と共に商品名を表示させる。本実施の形態の電子値札１０１を用いることにより、店舗は、商品である衣類１１に対して商品名の表示を付ける必要がなくなり、電子値札１０１を付するだけでよい。
【００４１】
なお、いずれの実施形態においても、ＬＣＤ１０３に単価表示が提供されている間（例えば、３分間）に表示ボタン１０４が押下された場合には、ＣＰＵ１５１はＵＳＢメモリ１０８のフラッシュメモリチップ１１１に記憶されている「押下回数」をインクリメントしないようにする。これにより、「押下回数」は、悪戯の影響を受け難くなる。例えば、ＬＣＤ１０３に単価表示がなされている状態で表示ボタン１０４が連続的に何度も押下される悪戯がなされた場合にも、ＬＣＤ１０３に単価表示がなされている間の表示ボタン１０４の押下操作は「押下回数」としてカウントされない。したがって、ＵＳＢメモリ１０８のフラッシュメモリチップ１１１に記憶されている「押下回数」は、悪戯の影響を受けずに正確な値が確保される。
【符号の説明】
【００４２】
１０１…電子値札、１０３…ＬＣＤ（表示部）、１０４…表示ボタン（操作部）、１０８…ＵＳＢメモリ（記憶装置）、１０９…ＵＳＢコネクタ（コネクタ）、１１１…フラッシュメモリチップ（不揮発性メモリ）、１５６…ＵＳＢポート（ポート）
【図１】
2010005444.tif 000003
【図２】
2010005444.tif 000004
【図３】
2010005444.tif 000005
【図４】
2010005444.tif 000006
【図５】
2010005444.tif 000007
【図６】
2010005444.tif 000008
【図７】
2010005444.tif 000009
【図８】
2010005444.tif 000010
【図９】
2010005444.tif 000011
【図１０】
2010005444.tif 000012
【図１１】
2010005444.tif 000013
【図１２】
2010005444.tif 000014
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
情報表示機能を有する表示部と、
ユーザが操作する操作部と、
商品情報と前記操作部の操作回数とを含むデータを書き換え自在に記憶するメモリと、
前記操作部での所定の操作に応じて、前記メモリに記憶されている操作回数をインクリメントする手段と、
前記操作部での前記所定の操作に応じて、前記メモリに記憶されている商品情報データを読み出して当該読み出した商品情報データに基づく表示を前記表示部に表示させ、一定時間経過後、前記表示部への商品情報データの表示を中止する手段と、
を備える電子値札。
【請求項２】
情報表示機能を有する表示部と、ユーザが操作する操作部と、商品情報と前記操作部の操作回数とを含むデータを書き換え自在に記憶するメモリとを有した電子値札において、
前記操作部での所定の操作に応じて、前記メモリに記憶されている操作回数をインクリメントするステップと、
前記操作部での前記所定の操作に応じて、前記メモリに記憶されている商品情報データを読み出して当該読み出した商品情報データに基づく表示を前記表示部に表示させるステップと、
一定時間経過後、前記表示部に表示されている商品情報を消去するステップと、
を備える電子値札の商品情報表示方法。
【請求項３】
情報表示機能を有する表示部と、ユーザが操作する操作部と、商品情報と前記操作部の操作回数とを含むデータを書き換え自在に記憶する第１のメモリと、前記操作部での所定の操作に応じて、前記第１のメモリに記憶されている操作回数をインクリメントする手段とを有する電子値札と、
複数の商品情報を記憶する第２のメモリと、
前記第２のメモリ内の複数の商品情報を呼び出し可能なコントローラと、
を有し、
前記コントローラは、前記第１のメモリに記憶された操作回数情報を読み込んだ後、前記第１のメモリ内の操作回数情報を消去することを特徴とする電子値札システム。
【請求項４】
前記電子値札は、前記操作部での前記所定の操作に応じて、前記第１のメモリに記憶されている商品情報データを読み出して当該読み出した商品情報データに基づく表示を前記表示部に表示させ、一定時間経過後、前記表示部への商品情報データの表示を中止する手段をさらに有することを特徴とする請求項３記載の電子値札システム。
【請求項５】
情報表示機能を有する第１の表示部と、ユーザが操作する操作部と、商品情報と前記操作部の操作回数とを含むデータを書き換え自在に記憶する第１のメモリと、前記操作部での所定の操作に応じて、前記メモリに記憶されている操作回数をインクリメントする手段とを有する電子値札と、
複数の商品情報を記憶する第２のメモリと、
前記第２のメモリ内の複数の商品情報を呼び出し、第２の表示部へ表示可能なコントローラと、を有し、
前記コントローラは、前記第１のメモリに記憶された操作回数情報と、前記第２のメモリに記憶された複数の商品情報のうち、前記第１のメモリに記憶された商品情報と一致する商品情報を前記第２の表示部へ表示することを特徴とする電子値札システム。
【請求項６】
前記電子値札は、前記操作部での前記所定の操作に応じて、前記第１のメモリに記憶されている商品情報データを読み出して当該読み出した商品情報データに基づく表示を前記表示部に表示させ、一定時間経過後、前記表示部への商品情報データの表示を中止する手段をさらに有することを特徴とする請求項５記載の電子値札システム。
【請求項７】
前記コントローラは、前記第１のメモリから前記操作回数情報を読み出した後、前記第１のメモリ内の前記操作回数情報をクリアすることを特徴とする請求項５記載の電子値札システム。
【請求項８】
前記コントローラは、前記第１のメモリに記憶された商品情報を書き換え可能に構成されていることを特徴とする請求項５記載の電子値札システム。
【手続補正３】
【補正対象書類名】明細書
【補正対象項目名】０００１
【補正方法】変更
【補正の内容】
【０００１】
本発明は、店舗で販売される商品又はこの商品が載置される陳列棚に付される電子値札、電子値札の商品情報表示方法、及び電子値札システムに関する。
【手続補正４】
【補正対象書類名】明細書
【補正対象項目名】０００８
【補正方法】変更
【補正の内容】
【０００８】
本発明の電子値札は、情報表示機能を有する表示部と、ユーザが操作する操作部と、商品情報と前記操作部の操作回数とを含むデータを書き換え自在に記憶するメモリと、を備え、前記操作部での所定の操作に応じて、前記メモリに記憶されている操作回数をインクリメントし、前記操作部での前記所定の操作に応じて、前記メモリに記憶されている商品情報データを読み出して当該読み出した商品情報データに基づく表示を前記表示部に表示させ、一定時間経過後、前記表示部への商品情報データの表示を中止するようにした。
本発明の電子値札の商品情報表示方法は、情報表示機能を有する表示部と、ユーザが操作する操作部と、商品情報と前記操作部の操作回数とを含むデータを書き換え自在に記憶するメモリとを有した電子値札において、前記操作部での所定の操作に応じて、前記メモリに記憶されている操作回数をインクリメントするステップと、前記操作部での前記所定の操作に応じて、前記メモリに記憶されている商品情報データを読み出して当該読み出した商品情報データに基づく表示を前記表示部に表示させるステップと、一定時間経過後、前記表示部に表示されている商品情報を消去するステップと、を実行する。
本発明の電子値札システムは、情報表示機能を有する表示部と、ユーザが操作する操作部と、商品情報と前記操作部の操作回数とを含むデータを書き換え自在に記憶する第１のメモリと、前記操作部での所定の操作に応じて、前記第１のメモリに記憶されている操作回数をインクリメントする手段とを有する電子値札と、複数の商品情報を記憶する第２のメモリと、前記第２のメモリ内の複数の商品情報を呼び出し可能なコントローラと、を有し、前記コントローラは、前記第１のメモリに記憶された操作回数情報を読み込んだ後、前記第１のメモリ内の操作回数情報を消去する。
本発明の電子値札システムは、情報表示機能を有する第１の表示部と、ユーザが操作する操作部と、商品情報と前記操作部の操作回数とを含むデータを書き換え自在に記憶する第１のメモリと、前記操作部での所定の操作に応じて、前記メモリに記憶されている操作回数をインクリメントする手段とを有する電子値札と、複数の商品情報を記憶する第２のメモリと、前記第２のメモリ内の複数の商品情報を呼び出し、第２の表示部へ表示可能なコントローラと、を有し、前記コントローラは、前記第１のメモリに記憶された操作回数情報と、前記第２のメモリに記憶された複数の商品情報のうち、前記第１のメモリに記憶された商品情報と一致する商品情報を前記第２の表示部へ表示する。